(57)【要約】      （修正有）【課題】小型で使い勝手の良い、低コストな衛生洗浄装置を提供する。【解決手段】本体と便座と洗浄手段と乾燥装置７００と乾燥装置７００で送給された空気により開放されるシャッター７５０と制御部とを含み、乾燥装置７００は送風装置７２０と空気を加熱するヒータ７３０と、帯電微粒子水を生成する静電霧化装置７４０とを備え、制御部はヒータ７３０の駆動時と静電霧化装置７４０の駆動時とでは、シャッター７５０の開度が異なるように制御することにより、乾燥装置はヒータにより加熱された温風と、静電霧化装置で生成された帯電微粒子水が付加された空気をそれぞれ生成して噴出することができ、１個の送風装置を２つの機能で共用するとともに、性状の異なる空気をそれぞれ目的に合った風量および方向に噴出させることができるようにした。【選択図】図４
2015158103.tif 000002
【特許請求の範囲】
【請求項１】
便器上に載置される本体と、
前記本体に起倒自在に枢支された便座と、
人体局部を洗浄する洗浄手段と、
人体局部を乾燥する乾燥装置と、
前記乾燥装置の駆動に伴い開閉されるシャッターと、
少なくとも前記洗浄手段と乾燥装置を制御する制御部と、を含み、
前記乾燥装置は、風路を形成するケースと、空気を送給する送風装置と、空気を加熱するヒータと、帯電微粒子水を生成する静電霧化装置と、を備え、
前記制御部は、前記ヒータの駆動時と前記静電霧化装置の駆動時とでは、前記シャッターの開度が異なるように制御することを特徴とする、
衛生洗浄装置。
【請求項２】
前記制御部は、前記ヒータの駆動時は、前記静電霧化装置の駆動時より前記シャッターの開度を大きくするように制御することを特徴とする、
請求項１に記載の衛生洗浄装置。
【請求項３】
前記シャッターは、前記送風装置で送給される風力により開放される構成の、
請求項１または２に記載の衛生洗浄装置。
【請求項４】
前記シャッターは、上縁部が枢支された回動自在な略板状に形成され、略鉛直位置と略水平位置との間を回動可能な構成の、
請求項３に記載の衛生洗浄装置。
【請求項５】
前記シャターは、前記ヒータを駆動した時は略水平位置に回動し、前記静電霧化装置を駆動した時は水平位置と鉛直位置の中間位置に回動する構成の、
請求項４に記載の衛生洗浄装置。
【請求項６】
前記送風装置は前記風路の上流に配置され、前記ヒータと前記静電霧化装置とは前記送風装置の下流に並列に配置された構成の、
請求項１〜５のいずれか１項に記載の衛生洗浄装置。
【発明の詳細な説明】
【技術分野】
【０００１】
本発明は乾燥装置と静電霧化装置を備えた衛生洗浄装置に関するものである。
【背景技術】
【０００２】
従来、この種の使用者の局部を乾燥する帯電微粒子水と、除菌および脱臭等の機能を有する帯電微粒子水を生成する静電霧化装置を備えた衛生洗浄装置は、それぞれ独立した乾燥装置と静電霧化装置を個別に設置した構成となっている。乾燥装置は衛生洗浄装置の本体の略中央部に配置されており、便器の中央部に向かって温風を噴出し、使用者の局部を乾燥する。一方、静電霧化装置は本体の側部より突出するように配置されており、トイレルーム内に帯電微粒子を噴出する構成となっている（例えば、特許文献１参照）。
【０００３】
図８は、特許文献１に記載された従来の衛生洗浄装置の内部を示すものである。図８に示すように、衛生洗浄装置の本体１の中央部に使用者の局部を洗浄するノズル装置２が設置してあり、ノズル装置２の側方に乾燥装置３が設置してある。また、本体１の側部に突出して静電霧化装置４が設置されている。
【先行技術文献】
【特許文献】
【０００４】
【特許文献１】特開２０１２−１４４８７６号公報
【発明の概要】
【発明が解決しようとする課題】
【０００５】
しかしながら、前記従来の構成では、乾燥装置と静電霧化装置の必須機能である送風装置をそれぞれが独立して備えた構成となっている。そのため、２つの送風装置を設置するための広いスペースが必要となり、衛生洗浄装置全体が大型となるため設置条件等の使い勝手の観点で改良の余地があった。また、２個の送風装置を使用するため、材料コストと生産性の面でも改良の余地があった。
【０００６】
本発明は、前記従来の課題を解決するもので、乾燥装置と静電霧化装置を一体化し、１個の送風装置を共用することで、設置スペースを縮小するとともに、コストと組立工数を削減することにより、使い勝手の良い衛生洗浄装置を低コストで提供することを目的とする。
【課題を解決するための手段】
【０００７】
前記従来の課題を解決するために、本発明の衛生洗浄装置は、便器上に載置される本体と、本体に起倒自在に枢支された便座と、人体局部を洗浄する洗浄手段と、人体局部を乾燥する乾燥装置と、乾燥装置の駆動に伴い開閉されるシャッターと、少なくとも洗浄手段と乾燥装置を制御する制御部と、を含み、乾燥装置は、風路を形成するケースと、空気を送給する送風装置と、空気を加熱するヒータと、帯電微粒子水を生成する静電霧化装置と、を備え、制御部は、ヒータの駆動時と静電霧化装置の駆動時とでは、シャッターの開度が異なるように制御することを特徴とするものである。
【０００８】
これにより、乾燥装置はヒータにより加熱された温風と、静電霧化装置で生成された帯電微粒子水が付加された空気をそれぞれ生成して噴出することができ、１個の送風装置を２つの機能で共用するとともに、ヒータの駆動時と前記静電霧化装置の駆動時とでシャッターの開度を変更することにより、性状の異なる空気をそれぞれ目的に合った風量および方向に噴出させることができるとともに、設置スペースの縮小と、材料コストと組立工数
を削減することができる。
【発明の効果】
【０００９】
本発明の衛生洗浄装置は、小型で使い勝手の良い衛生洗浄装置を低コストで提供することができる。
【図面の簡単な説明】
【００１０】
【図１】本発明の実施の形態１における衛生洗浄装置を便器上に設置した状態の外観を示す斜視図
【図２】本発明の実施の形態１における衛生洗浄装置の本体の前面カバーをはずした状態の平面図
【図３】本発明の実施の形態１における乾燥装置の外観の斜視図
【図４】本発明の実施の形態１における本体の乾燥装置設置部分の断面図
【図５】本発明の実施の形態１における静電霧化装置の断面図
【図６】同乾燥装置の乾燥機能動作時における乾燥シャターが全開状態の断面図
【図７】同乾燥装置の静電霧化機能動作時における乾燥シャターが半開状態の断面図
【図８】従来の衛生洗浄装置の本体内部の平面図
【発明を実施するための形態】
【００１１】
第１の発明は、便器上に載置される本体と、前記本体に起倒自在に枢支された便座と、人体局部を洗浄する洗浄手段と、人体局部を乾燥する乾燥装置と、前記乾燥装置の駆動に伴い開閉されるシャッターと、少なくとも前記洗浄手段と乾燥装置を制御する制御部と、を含み、前記乾燥装置は、風路を形成するケースと、空気を送給する送風装置と、空気を加熱するヒータと、帯電微粒子水を生成する静電霧化装置と、を備え、前記制御部は、前記ヒータの駆動時と前記静電霧化装置の駆動時とでは、前記シャッターの開度が異なるように制御することを特徴とする衛生洗浄装置。
【００１２】
これにより、乾燥装置はヒータにより加熱された温風と、静電霧化装置で生成された帯電微粒子水が付加された空気をそれぞれ生成して噴出することができ、１個の送風装置を２つの機能で共用するとともに、ヒータの駆動時と静電霧化装置の駆動時とでシャッターの開度を変更することにより、性状の異なる空気をそれぞれ目的に合った風量および方向に噴出させることができるとともに、設置スペースの縮小と、材料コストと組立工数を削減することができる。
【００１３】
第２の発明は、特に第１の発明において、前記制御部は、前記ヒータの駆動時は、前記静電霧化装置の駆動時より前記シャッターの開度を大きくするように制御するものである。
【００１４】
これにより、ヒータの駆動時には大量の温風を遠方まで噴出させることができるとともに、静電霧化装置の駆動時には帯電微粒子水を含む適量の空気を噴出口の近傍に放散させることができる。
【００１５】
第３の発明は、特に第１または第２の発明において、前記シャッターは、前記送風装置で送給される風力により開放される構成のものである。
【００１６】
これにより、シャッターの開閉を行う駆動装置を別途設ける必要がなく、乾燥装置の小型化と低コスト化を図ることができる。
【００１７】
第４の発明は、特に第３の発明において、前記シャッターは、上縁部が枢支された回動自在な略板状に形成され、略鉛直位置と略水平位置との間を回動可能な構成である。
【００１８】
これにより、噴出される空気は略鉛直方向から力垂直方向の範囲で噴出させることが可能となる。
【００１９】
第５の発明は、特に第４の発明において、前記シャターは、前記ヒータを駆動した時は略水平位置に回動し、前記静電霧化装置を駆動した時は水平位置と鉛直位置の中間位置に回動する構成である。
【００２０】
これにより、ヒータを駆動した時の温風は略水平方向に噴出することとなり、使用者の局部を効果的に乾燥することができるとともに、静電霧化装置を駆動した時の帯電微粒子が付加された空気は下方に向かって噴出することとなり、主に便器内の除菌および脱臭を効果的に実施することができる。
【００２１】
第６の発明は、特に第１〜第５のいずれか１つの発明において、前記送風装置は前記風路の上流に配置され、前記ヒータと前記静電霧化装置とは前記送風装置の下流に並列に配置された構成である。
【００２２】
これにより、送風装置で送給された空気は、ヒータと静電霧化装置に直接送給されることとなり、相互の機能に影響されることがなく、それぞれの機能を安定して発揮することができる。
【００２３】
以下、本発明の実施の形態について、図面を参照しながら説明する。なお、この実施の形態によって本発明が限定されるものではない。
【００２４】
（実施の形態１）
図１は本実施の形態における衛生洗浄装置を便器上に設置した状態の外観の斜視図を示し、図２は衛生洗浄装置の本体ケースの前面カバーをはずした状態の本体内部の斜視図を示すものである。
【００２５】
＜１＞衛生洗浄装置の構成
図１に示すように、衛生洗浄装置１００は、本体２００、便蓋３００、便座４００、リモートコントローラ５００により構成され、本体２００、便蓋３００、便座４００は一体で構成され便器１１０の上面に設置される。
【００２６】
本体２００には、便蓋３００および便座４００が電動の便座便蓋回動機構１０２を介して開閉可能に取り付けられている。図１に示すように便蓋３００を開放した状態においては、便蓋３００は衛生洗浄装置１００の最後部に位置するように起立する。また、便蓋３００を閉塞すると便座４００の上面を隠蔽する。便座４００は便座ヒータ（図示せず）を内蔵しており、便座４００の着座面が快適な温度になるように加熱する。
【００２７】
また、便座４００の回動軸を支持する軸受部分には便座４００に着座した人体を検知する着座検知スイッチ（図示せず）が設置されている。この着座検知スイッチは、便座４００に使用者が着座することによる重量変化でスイッチを開閉させることにより、便座４００上に使用者が着座していることを検知するものである。
【００２８】
また図１に示すように、本体２００の側部には突出部２１０が設けてあり、突出部２１０の上面には複数の操作スイッチ２１２を備えた操作部２１１が設けられている。
【００２９】
リモートコントローラ５００には、衛生洗浄装置の各機能の操作と設定を行う複数の操作スイッチ５０１と、トイレルームに入室した使用者を検知する人体検知センサ５０２が
設けられている。リモートコントローラ５００は便座４００に着座した使用者が操作可能なトイレ室の壁面等の場所に取り付けられ、操作信号は無線を介して本体２００に送信される。
【００３０】
なお、本実施の形態においては衛生洗浄装置の本体２００の設置側を後方、便座４００の設置側を前方とし、後方より前方に向かって右側を右方、左側を左方として各構成要素の配置を説明する。
【００３１】
図２に示すように、本体２００の内部には、右側には洗浄手段を構成する熱交換器等で構成された洗浄水供給機構１０１が設置されており、中央部にはノズル装置１０３が設置されており、左側には洗浄後の局部を乾燥する乾燥装置７００と便器１１０内の臭気を脱臭する脱臭装置８００と便蓋３００と便座４００を電動で回動する便座便蓋回動機構１０２が設置されており、上部に機能部材を電気的に制御する制御部９００等が設置されている。
【００３２】
洗浄手段は洗浄水供給機構１０１とノズル装置１０３で構成されており、水道配管から供給される洗浄水を洗浄水供給機構１０１の熱交換器で加熱した温水をノズル装置１０３に供給し、ノズル装置１０３から使用者の局部に向けて温水を噴出し、使用者の局部を洗浄するものである。
【００３３】
ノズル装置１０３は、お尻を洗浄するお尻洗浄ノズル部と女性の局部を洗浄するビデノズル部を有する洗浄ノズル１０４と、洗浄ノズル１０４を本体２００内に収容した収納位置と本体２００から突出して洗浄動作を行う洗浄位置との間を進退移動する駆動手段（図示せず）と、熱交換器からの洗浄水を洗浄ノズルに切換えて供給する流調弁（図示せず）等が一体に組み込まれている。
【００３４】
ノズル装置１０３の先端部には開閉自在のノズルシャッター１０５が設置されており、洗浄ノズル１０４の進退移動に伴って開閉し、洗浄ノズル１０４が本体２００に収納されている間はノズルシャッター１０５が閉塞することにより、用便等により洗浄ノズル１０４が汚染されることを抑制する構成となっている。
【００３５】
乾燥装置７００は、ノズル装置１０３に隣接して設置されている。乾燥装置７００の噴出口７０６は、本体２００の前面下部に配置されており、噴出口７０６の前方には、開閉自在の乾燥シャッター７５０が設置されており、乾燥装置７００の不使用時は閉塞して乾燥装置７００の内部へ洗浄水等が侵入することを防止し、乾燥装置７００の駆動時には、乾燥装置７００から噴出される風圧により開放される構成となっている。乾燥装置の詳細な構成は後述する。
【００３６】
制御部９００は、衛生洗浄装置１００の各機能の操作を行うリモートコントローラ５００の操作スイッチ５０１と本体２００の操作スイッチ２１２および着座検知スイッチ（図示せず）から送信される信号に基づいて、衛生洗浄装置１００の各部の動作を制御する。
【００３７】
本発明の衛生洗浄装置１００はトイレ室に使用者が存在しない場合は、便座ヒータへの通電を停止、もしくは２０℃程度の低温に保温している。トイレ室に使用者が入室すると、人体検知センサ５０２からの信号を受け、便座ヒータに通電を行う。便座ヒータは８００Ｗ程度の非常に高出力のヒータであり、使用者がトイレ室に入室してから便座に着座するまでの６秒から１０秒程度の間に、便座４００の着座面を４０℃程度の適温に温める。便座４００が適温に達した後は、便座ヒータへの通電を５０Ｗ程度の低ワットに下げ、適温を保つ。使用者がトイレルーム内から出ると、便座ヒータへの通電を停止、もしくは２０℃程度の低温保温となる。つまり、トイレルームに使用者がいないときの電力を大幅に
削減した便座装置である。
【００３８】
＜２＞乾燥装置の構成
図３は本発明の実施の形態１における乾燥装置の外観の斜視図を示すものであり、図４は乾燥装置の不使用時の断面図を示すものであり、図５は静電霧化装置の断面図を示すものであり、図６は乾燥装置の乾燥機能の動作時における乾燥シャターが全開の状態の乾燥装置の断面図を示すものであり、図７は乾燥装置の静電霧化機能の動作時における乾燥シャターが半開の状態の乾燥装置の断面図を示すものである。
【００３９】
図３に示すように、乾燥装置７００は、内部に風路が形成されたケース７１０と、風路に空気を送給する送風装置７２０と、送風装置７２０で送給された空気を加熱するヒータユニット７３０と、帯電微粒子水を生成する静電霧化装置７４０とを主構成部材としている。
【００４０】
ケース７１０は難燃性樹脂で成型した下ケース７１１と中ケース７１２と上ケース７１３とで構成され、内部に上下二段のトンネル状の風路が形成されており、後端部には送風装置７２０を収容する送風装置設置スペース７０４が形成されている。送風装置設置スペース７０４の前方には送風装置７２０から送給された空気が流入する吸気口７０５が上下二段位に分かれて形成されている。ケース７１０の前端部には略長方形の噴出口７０６が開口しており、噴出口７０６は本体２００の前面下部に配置されている。
【００４１】
図３の矢印Ａに示すように乾燥装置７００は送風装置７２０の側面から吸気して、矢印Ｂで示すように前面に設けた噴出口７０６から前方に向かって噴出する構成となっている。
【００４２】
風路は、下ケース７１１と中ケース７１２で形成されてケース７１０の下方に配置された主風路７０１と、中ケース７１２と上ケース７１３で形成されてケース７１０の上方に配置された副風路７０２と、噴出口７０６の近傍で主風路７０１と副風路７０２が合流した噴出風路７０３で構成されており、送風装置７２０から送給される空気の約９０％が主風路７０１に、約１０％が副風路７０２に送給される。
【００４３】
図３に示すように、主風路７０１と噴出風路７０３の境界部分には、上下二段の回動自在な防水シャッター７０７、７０８が設置されている。防水シャッター７０７、７０８は樹脂材料で成型された略板状であり、上辺の左右に形成された枢支軸を介してケース７１０に回動自在に枢支されている。
【００４４】
また、乾燥装置７００の噴出口７０６に対向する本体ケース２２０の下端部には開閉自在な乾燥シャッター７５０が設置されている。乾燥シャッター７５０は樹脂材料で成型された略板状であり、上辺の左右に形成された枢支軸を介して本体ケース２２０に回動自在に枢支されている。
【００４５】
図３に示すように、乾燥装置７００を使用しないときは、乾燥シャッター７５０は自重により略鉛直位置に配置されて乾燥装置７００の噴出口７０６を閉塞し、排便時の汚物や洗浄水が噴出口７０６に直接かからない構成となっている。また、防水シャッター７０７も乾燥シャッター７５０と同様に略鉛直位置に配置されて主風路７０１を閉塞して洗浄水の進入を確実に防止する構成となっている。
【００４６】
また、図６および図７に示すように、乾燥装置７００の使用時には風圧により、乾燥シャッター７５０と防水シャッター７０７は略鉛直位置から略水平位置の間に回動して、乾燥装置７００の噴出口７０６を開放する構成となっている。
【００４７】
図３に示すように、ケース７１０の内部には、後方に送風装置７２０と、主風路７０１にヒータユニット７３０と、副風路７０２に静電霧化装置７４０と、噴出風路７０３に噴出される空気の温度を検知するサーミスタ７６０が設置されている。
【００４８】
送風装置７２０は直流モータで駆動されるシロッコファンであり、供給される直流電流の電圧を変化させることにより、シロッコファンの回転数が変化することにより送風量を変化させることができる。
【００４９】
ヒータユニット７３０は、加熱手段である約４００Ｗのヒータ線７３１と、７７℃で溶断する第一温度ヒューズ７３２と、９３℃で動作する第二温度ヒューズ７３３で構成されており、外郭をカバーマイカ７３４で覆われている。
【００５０】
螺旋状に形成したヒータ線７３１はカバーマイカ７３４の内部の外周近傍に配置されており、ヒータ線７３１の螺旋の中央部には、送風装置７２０に近い位置となる後方に第二温度ヒューズ７３３を、前方に第一温度ヒューズ７３２が配置してある。ヒータ線７３１と第一温度ヒューズ７３２と第二温度ヒューズ７３３は電気的に直列に接続されている。
【００５１】
第一温度ヒューズ７３２と第二温度ヒューズ７３３は内部の温度が異常に上昇するのを防止する温度過昇防止手段である。送風装置７２０が故障してロック状態となった場合等で異常上昇が発生した場合、第１のステップとして第一温度ヒューズ７３２が溶断してヒータへの通電を遮断するが、例えば、第一温度ヒューズ７３２の故障等で作動しない場合には、第２ステップとして第二温度ヒューズ７３３が溶断してヒータへの通電を遮断することにより、発煙や発火が発生しないようになっている。
【００５２】
静電霧化装置７４０は図４に示すように、空気中の水分を結露させて水を生成するペルチェ素子７４１と、生成された水に電圧を印加する霧化電極７４２と、霧化電極７４２に対向して設けられた対極電極７４３とで構成されている。
【００５３】
ペルチェ素子７４１と制御部９００とは電気的に接続されており、制御部９００により０〜０．６Ｖ程度の直流電流が印加される。
【００５４】
ペルチェ素子７４１の冷却基板には尖鋭形状の霧化電極７４２が設置されており、ペルチェ素子７４１の冷却基板に結露した水が霧化電極７４２に搬送される構成となっている。
【００５５】
尖鋭形状の霧化電極７４２と対向する位置に、霧化電極７４２を包囲するように略ドーム状の対極電極７４３が配置されており、霧化電極７４２と対極電極７４３の間には制御部９００により約３５００Ｖの直流電流が印加される。
【００５６】
＜３＞乾燥装置の動作および作用
上記構成の乾燥装置の動作および作用について以下に説明する。
【００５７】
図６は乾燥装置の乾燥機能の動作時における乾燥シャターが全開の状態の乾燥装置の断面図を示すものであり、図７は乾燥装置の静電霧化機能の動作時における乾燥シャターが半開の状態の乾燥装置の断面図を示すものである。
【００５８】
本実施の形態における乾燥装置７００は、乾燥機能と静電霧化機能の２つの機能を備えたものである。
【００５９】
乾燥機能は洗浄により濡れた使用者の局部を温風により乾燥するものであり、使用者の局部に直接温風を当てて乾燥する機能である。
【００６０】
使用者がリモートコントローラ５００の乾燥機能の操作スイッチ５０１を操作し、乾燥機能が使用される場合、制御部９００は送風装置７２０とヒータユニット７３０を駆動する。送風装置７２０には１２Ｖの直流電流を供給して強パワーで駆動させる。
【００６１】
図６に示すように、送風装置７２０で送給された空気は吸気口７０５に向かって送給される。送給された空気の約９０％は矢印Ｙ１に示すように主風路７０１に送給され、約１０％は矢印Ｙ２で示すように副風路７０２に送給される。主風路７０１に送給された空気はヒータユニット７３０により加熱され、加熱された温風の風力により防水シャッター７０７、７０８を略水平となるように全開にして矢印Ｙ３に示すように噴出風路７０３へと送給される。
【００６２】
一方、矢印Ｙ２で示すように副風路７０２に送給された空気は副風路７０２を通過して矢印Ｙ４に示すように噴出風路７０３へと送給される。噴出風路７０３で合流した空気は噴出口７０６より噴出される。噴出口７０６から噴出する温風の風力は最大となり、図５に示すように、乾燥シャッター７５０は風圧により略水平位置（開度約９０度）まで開放され、温風は矢印Ｙ６に示すように略水平方向に噴出し、便座４００に着座した使用者の局部に向かって送給され、洗浄により濡れた局部を短時間に乾燥することができる。
【００６３】
一方、静電霧化機能を使用する場合は、制御部９００は送風装置７２０と静電霧化装置７４０を駆動する。送風装置７２０には約７Ｖの直流電流を供給して強パワーの約６０パーセントの弱パワーで駆動させる。
【００６４】
図７に示すように、乾燥機能の使用時と同様に、送風装置７２０で送給された空気は吸気口７０５に向かって送給される。送給された空気の約９０％は矢印Ｙ１に示すように主風路７０１に送給され、約１０％は矢印Ｙ２で示すように副風路７０２に送給される。主風路７０１に送給された空気は主風路７０１を通過し、風力により防水シャッター７０７、７０８を略水平となるように全開にして加熱されない空気が噴出風路７０３へと送給される。
【００６５】
一方、矢印Ｙ２で示すように副風路７０２に送給された空気は、静電霧化装置により生成された帯電微粒子水が付加され空気が噴出風路７０３へと送給される。
【００６６】
噴出口７０６から噴出される帯電微粒子水を含む空気は風力が弱いため、乾燥シャッター７５０は乾燥機能の使用時の開度より小さい４０度〜４５度の開度に開放され、噴出口７０６から噴出した空気は乾燥シャッター７５０に当たって矢印Ｙ６で示すように下方に方向を変えて、便器１１０の内部に向かって送給される。
【００６７】
特に、前記構成の静電霧化装置で生成される帯電微粒子水はナノメータサイズと非常に小さいため、広い範囲に拡散が可能であるとともに、細孔内部や狭い隙間等に入り込むことが可能である。このため、表面に付着したものはもちろん狭い隙間に入り込んだ臭気物質、カビ類、菌類に対して脱臭効果、除菌効果、殺菌効果が得られるのである。
【００６８】
ナノメータサイズの帯電微粒子水は、アンモニア、アセトアルデヒド、酢酸、メタン、一酸化炭素、一酸化窒素、ホルムアルデヒド等の臭気物質の分解除去と各種菌類への殺菌効果を備えており、トイレルーム内に浮遊および壁面や床面に付着した臭気物質や菌類に対して脱臭と除菌および殺菌の効果を発揮することができる。
【００６９】
上記のように、１個の送風装置７２０を共用しながら、乾燥機能を使用する場合は人体に向かって略水平方向に送風し、静電無化機能を使用する場合には便器内に向かって下方に送風することが可能であり、多機能な乾燥装置を小型でシンプルな構成で実施することができ、コンパクトでありながら使い勝手のよい衛生洗浄装置を提供することができる。
【００７０】
＜４＞衛生洗浄装置の動作および作用
以上のように構成された衛生洗浄装置について、以下その動作、作用を説明する。
【００７１】
使用者がトイレルームに入室し、人体検知センサ５０２が人体を検知すると、人体検知センサ５０２の信号により、制御部９００は便座便蓋回動機構１０２を駆動して便蓋３００を開放するするとともに、便座の便座ヒータへの通電を開始して便座４００の着座面が着座に適した４０℃程度になるように、１０秒以内に昇温させる。
【００７２】
使用者が、便座４００に着座すると、着座検知スイッチが着座を検知し、制御部９００が着座信号を受信することにより、本体２００の操作スイッチ２１２およびリモートコントローラ５００の操作スイッチ５０１により洗浄機能と乾燥機能の操作が可能となる。
【００７３】
また、制御部９００は脱臭装置８００の送風機の駆動を開始する。脱臭装置８００は、本体２００の底面に設けられた吸気口から便器１１０内の空気を吸引し、脱臭体のハニカム孔をおよび送風機内を通過させて本体の後方より排気される。
【００７４】
この間、脱臭装置に吸引された臭気物質を含んだ空気は、脱臭体のハニカム孔を通過する間に、臭気物質がハニカム孔の孔壁に吸着され、脱臭体の触媒作用により臭気物質が分解除去され、脱臭体を通過後の空気は臭気物質を除去されたほとんど無臭状態となり、排気口からトイレルーム内に放出される。
【００７５】
上記のように、用便中に便器内で発生する臭気物質の多くは、脱臭装置により分解除去されトイレルーム全体に臭気が拡散されることを効果的に抑制することができる。
【００７６】
使用者が用便終了後に、リモートコントローラ５００の操作スイッチ５０１により洗浄操作を行うことにより、洗浄ノズルが本体２００より進出し、洗浄水を噴出することにより使用者の局部を洗浄し、洗浄終了の操作により局部の洗浄は終了し、洗浄ノズルは本体２００内に収納される。
【００７７】
次に、使用者がリモートコントローラ５００の操作スイッチ５０１により乾燥機能の操作を行うと、制御部９００は乾燥装置７００の送風装置７２０とヒータユニット７３０を駆動して乾燥動作を開始する。このとき送風装置７２０には１２Ｖの直流電流が供給され強パワーで駆動される。送風装置７２０でヒータユニット７３０へ送給された空気はヒータユニット７３０で加熱されて温風となって噴出口７０６より噴出し、風圧により乾燥シャッター７５０を全開して使用者の局部に向かって噴出し、洗浄で濡れた使用者の局部を乾燥する。
【００７８】
使用者が用便動作を全て終了した後に便座から立ち上がり、トイレルームから退出して人体検知センサ５０２が人体の検知を終了してから、所定時間経過後（本実施の形態においては５分後）に、制御部９００は脱臭装置８００の駆動を停止するとともに便座便蓋回動機構１０２を駆動して便蓋３００を閉塞させる。
【００７９】
便蓋３００が閉塞すると、制御部９００は、乾燥装置７００の静電霧化機能を駆動するため送風装置７２０と静電霧化装置７４０の通電を開始する。このとき送風装置７２０には７Ｖの直流電流が供給され弱パワーで駆動される。
【００８０】
乾燥装置７００の噴出口７０６より噴出した帯電微粒子水を含む空気は、乾燥シャッター７５０に当たって下方に向きを変え、便器１１０の内部に送給される。便器１１０の内部に送給された帯電微粒子水を含む空気は、便器１１０内部と便蓋３００で閉塞された空間に充満するとともに、一部は便座４００の下面と便器１１０の上面との隙間からトイレルーム空間に放出される。
【００８１】
便器１１０内部と便蓋３００で閉塞された空間に充満した帯電微粒子水により、便器１１０の内面および便座４００の外面および便蓋３００の内面に付着した臭気物質や菌類に対して脱臭と除菌および殺菌の効果を発揮する。
【００８２】
また、トイレルーム空間に放出された帯電微粒子水はトイレルーム内に浮遊する臭気物質や、床面および壁面に付着した臭気物質やカビ類に対しても脱臭効果や防カビ効果を発揮する。
【００８３】
一方、使用者が便座４００に着座しない男子小用の場合は、脱臭装置８００は駆動されないが、使用者のトイレルームからの退室後、人体検知センサが人体の検知を終了してから、所定時間経過後（本実施の形態においては５分後）に、便座便蓋回動機構１０２を駆動して便蓋３００を閉塞させるとともに、前記同様に乾燥装置７００の送風装置７２０と静電霧化装置７４０の通電を開始する。
【００８４】
乾燥装置７００の静電霧化機能の運転が開始して２０分後に、制御部９００は静電霧化装置７４０の通電を停止して送風装置７２０のみの駆動を継続し、５分後に送風装置７２０の駆動を停止させて静電霧化機能の運転を終了させる。運転終了時に送風装置７２０のみの駆動を継続することにより、帯電微粒子水の生成時に発生するオゾンを拡散して希釈し、不快なオゾン臭を弱めることができる。
【００８５】
前記静電霧化機能の運転は、衛生洗浄装置１００の全使用時に実施されるものではなく、本実施の形態においては１日に１０回に限定されている。衛生洗浄装置の通常の１回の使用時間は長くても数分であるのに対し、静電霧化機能の１回の運転時間は約２０分であるため洗浄機能等と比較して相対的に長く、使用状態によっては、特に送風装置と他の機能部材との耐久性のバランスが大きく崩れることが推察され、全機能の耐久性のバランスを維持する目的で運転回数を限定している。
【００８６】
なお、本実施の形態においては、乾燥機能と静電霧化機能とは送風の風路の一部を噴出口の近傍で共用する構成としたが、これに限るものではなく、乾燥機能と静電霧化機能の風路を噴出口まで別風路で構成してもよい。
【００８７】
また、本実施の形態においては、シャッターの開閉動作は送風装置の送風による風力を駆動力として実施する構成としたが、これに限るものではなく、別途設けたモータ等の駆動力を使用する構成としてもよい。
【産業上の利用可能性】
【００８８】
以上のように、本発明にかかる衛生洗浄装置は、乾燥装置と静電霧化装置の設置スペースを縮小することが可能となるので、他の静電霧化機能を備えた送風機器の用途にも適用できる。
【符号の説明】
【００８９】
１００  衛生洗浄装置
１１０  便器
２００  本体
４００  便座
７００  乾燥装置
７０１  主風路（風路）
７０２  副風路（風路）
７０３  噴出風路（風路）
７０６  噴出口
７１０  ケース
７２０  送風装置
７３０  ヒータユニット（ヒータ）
７４０  静電霧化装置
７５０  乾燥シャッター（シャッター）
９００  制御部
【図１】
2015158103.tif 000003
【図２】
2015158103.tif 000004
【図３】
2015158103.tif 000005
【図４】
2015158103.tif 000006
【図５】
2015158103.tif 000007
【図６】
2015158103.tif 000008
【図７】
2015158103.tif 000009
【図８】
2015158103.tif 000010